(57)【要約】【課題】警報器の異常のレベルや複数の異常に応じた報知を行える警報器を提供する。【解決手段】外部環境の変化を検知する検知手段１０と、外部環境の変化を報知する報知手段２０と、を備えた警報器Ｘであって、電源の入力を報知する電源表示部３０と、警報器Ｘの状態を報知する状態表示部４０と、電源表示部３０および状態表示部４０の報知態様を制御する制御部５０と、を備えた。【選択図】図１
2015210705.tif 000002
【特許請求の範囲】
【請求項１】
外部環境の変化を検知する検知手段と、前記外部環境の変化を報知する報知手段と、を備えた警報器であって、
電源の入力を報知する電源表示部と、前記警報器の状態を報知する状態表示部と、前記電源表示部および前記状態表示部の報知態様を制御する制御部と、を備えた警報器。
【請求項２】
前記警報器の駆動を電池駆動方式とし、前記警報器の状態として電池の電源電圧を監視する請求項１に記載の警報器。
【請求項３】
前記制御部は、
電源電圧が第一電圧閾値以下の場合に、前記状態表示部を点灯または点滅させ、
前記第一電圧閾値より低い第二電圧閾値以下の場合に、前記電源表示部および前記状態表示部を消灯するように制御する請求項２に記載の警報器。
【請求項４】
前記制御部は、
電源電圧が第一電圧閾値以下の場合に、前記状態表示部を点灯させ、
前記第一電圧閾値より低い第二電圧閾値以下の場合に、前記状態表示部を点滅させ、
前記第二電圧閾値より低い第三電圧閾値以下の場合に、前記電源表示部および前記状態表示部を消灯するように制御する請求項２に記載の警報器。
【請求項５】
電源電圧が所定範囲のときに、操作によって前記状態表示部を点滅させる操作手段を備え、
前記制御部は、
電源電圧が第一電圧閾値以下の場合に、前記状態表示部を点灯または点滅させ、
前記第一電圧閾値より低い第二電圧閾値以下の場合に、前記電源表示部および前記状態表示部を消灯し、さらに前記操作手段の操作によって前記状態表示部を点滅させ、
前記第二電圧閾値より低い第三電圧閾値以下の場合に、前記電源表示部および前記状態表示部を消灯した状態を維持し、さらに前記操作手段の操作によっても前記状態表示部を点滅させないように制御する請求項２に記載の警報器。
【請求項６】
電源電圧が所定範囲のときに、操作によって前記状態表示部を点滅させる操作手段を備え、
前記制御部は、
電源電圧が第一電圧閾値以下の場合に、前記状態表示部を点灯または点滅させ、
前記第一電圧閾値より低い第二電圧閾値以下の場合に、前記状態表示部を消灯し、さらに前記操作手段の操作によって前記状態表示部を点滅させ、
前記第二電圧閾値より低い第三電圧閾値以下の場合に、前記電源表示部を消灯し、さらに前記操作手段の操作によって前記状態表示部を点滅させ、
前記第三電圧閾値より低い第四電圧閾値以下の場合に、前記電源表示部および前記状態表示部を消灯した状態を維持し、さらに前記操作手段の操作によっても前記状態表示部を点滅させないように制御する請求項２に記載の警報器。
【請求項７】
前記制御部は、前記状態表示部が前記警報器の状態を報知する際に、前記電源表示部の報知態様を変更可能にしてある請求項１〜６の何れか一項に記載の警報器。
【請求項８】
前記電源表示部は、通電された時点から報知態様が変更されないようにしてある請求項１〜６の何れか一項に記載の警報器。
【発明の詳細な説明】
【技術分野】
【０００１】
本発明は、外部環境の変化を検知する検知手段と、前記外部環境の変化を報知する報知手段と、を備えた警報器に関する。
【背景技術】
【０００２】
警報器として、火災警報器やガス漏れ警報器など、監視領域における異常を検出して警報するものが知られていた。例えば特許文献１には、ケース本体に警報表示部と警報出力部とが設けられ、監視領域に装置単体で設置されて該監視領域における異常を検出して異常発生を警報するとともに、装置の異常を検出して該装置の異常発生時に警報出力部で異常警報音を出力して、警報表示部で異常警報表示を行う警報器が開示されている。
【先行技術文献】
【特許文献】
【０００３】
【特許文献１】特開２０１３−４１６２７号公報
【発明の概要】
【発明が解決しようとする課題】
【０００４】
特許文献１に記載の警報器は、警報器の異常を検出して警報表示部で異常警報表示を行えるものである。警報器の異常は、例えば電池電圧の低下などが想定されるが、当該電池電圧は、通常、電池の残量に応じて種々のレベルを設定することがある。特許文献１に記載の警報表示部のみの表示では、このような種々のレベルに応じた報知を行うのは困難であった。
また、警報器の異常としては、機器内部の回路やセンサの故障なども想定されるが、例えば回路の故障および電池電圧の低下が同時に生じた場合、特許文献１に記載の警報器では、どちらか一方の異常しか表示することができず、使用者に対して適切な情報を提供することができなかった。
【０００５】
従って、本発明の目的は、警報器の異常のレベルや複数の異常に応じた報知を行える警報器を提供することにある。
【課題を解決するための手段】
【０００６】
上記目的を達成するための本発明に係る警報器は、外部環境の変化を検知する検知手段と、前記外部環境の変化を報知する報知手段と、を備えた警報器であって、その第一特徴構成は、電源の入力を報知する電源表示部と、前記警報器の状態を報知する状態表示部と、前記電源表示部および前記状態表示部の報知態様を制御する制御部と、を備えた点にある。
【０００７】
本構成のように電源表示部および状態表示部の報知態様を各別に制御することで、複数の報知パターンを構築することができるため、警報器の状態の程度（異常のレベルや複数の異常）に応じて視覚的に認識し易くすることができる。
【０００８】
本発明に係る警報器の第二特徴構成は、前記警報器の駆動を電池駆動方式とし、前記警報器の状態として電池の電源電圧を監視する点にある。
【０００９】
本構成によれば、電源表示部および状態表示部の報知態様を各別に制御して、電池の電源電圧のレベルを視覚的に認識し易くすることができる。
【００１０】
本発明に係る警報器の第三特徴構成は、前記制御部は、電源電圧が第一電圧閾値以下の場合に、前記状態表示部を点灯または点滅させ、前記第一電圧閾値より低い第二電圧閾値以下の場合に、前記電源表示部および前記状態表示部を消灯するように制御する点にある。
【００１１】
本構成によれば、電源電圧が第一電圧閾値以下となった場合に、状態表示部を消灯状態から点灯状態または点滅状態に切り替えることで、電源電圧がある程度低下したことを報知することができる。
さらに電源電圧が低下して第二電圧閾値以下となった場合に、電源表示部および状態表示部を消灯状態に切り替える。即ち、両者が消灯状態となったことで、電池残量が殆ど無い（或いは電池切れ）状態となったことを報知することができる。また、両者を消灯状態とすることで、電力消費を抑制することができる。
【００１２】
従って、本構成では、電源電圧の閾値を二段階に設定して、電源表示部および状態表示部を、点灯、点滅および消灯状態の何れかに切り替えることで、電池残量の状態を残量レベルに応じて視覚的に認識し易くすることができる。
【００１３】
本発明に係る警報器の第四特徴構成は、前記制御部は、電源電圧が第一電圧閾値以下の場合に、前記状態表示部を点灯させ、前記第一電圧閾値より低い第二電圧閾値以下の場合に、前記状態表示部を点滅させ、前記第二電圧閾値より低い第三電圧閾値以下の場合に、前記電源表示部および前記状態表示部を消灯するように制御する点にある。
【００１４】
本構成によれば、電源電圧が第一電圧閾値以下となった場合に、状態表示部を消灯状態から点灯状態に切り替えることで、電源電圧がある程度低下したことを報知することができる。
【００１５】
電源電圧が低下して第二電圧閾値以下となった場合に、状態表示部を点灯状態から点滅状態に切り替えることで、電源電圧がより一層低下したことを報知することができる。
【００１６】
さらに電源電圧が低下して第三電圧閾値以下となった場合に、電源表示部および状態表示部を消灯状態に切り替える。即ち、両者が消灯状態となったことで、電池残量が殆ど無い（或いは電池切れ）状態となったことを報知することができる。また、両者を消灯状態とすることで、電力消費を抑制することができる。
【００１７】
従って、本構成では、電源電圧の閾値を三段階に設定して、電源表示部および状態表示部を、点灯、点滅および消灯状態の何れかに切り替えることで、電池残量の状態を残量レベルに応じて視覚的に認識し易くすることができる。
【００１８】
本発明に係る警報器の第五特徴構成は、電源電圧が所定範囲のときに、操作によって前記状態表示部を点滅させる操作手段を備え、前記制御部は、電源電圧が第一電圧閾値以下の場合に、前記状態表示部を点灯または点滅させ、前記第一電圧閾値より低い第二電圧閾値以下の場合に、前記電源表示部および前記状態表示部を消灯し、さらに前記操作手段の操作によって前記状態表示部を点滅させ、前記第二電圧閾値より低い第三電圧閾値以下の場合に、前記電源表示部および前記状態表示部を消灯した状態を維持し、さらに前記操作手段の操作によっても前記状態表示部を点滅させないように制御する点にある。
【００１９】
本構成によれば、電源電圧が第一電圧閾値以下となった場合に、状態表示部を消灯状態から点灯状態または点滅状態に切り替えることで、電源電圧がある程度低下したことを報知することができる。
【００２０】
電源電圧が低下して第二電圧閾値以下となった場合に、電源表示部および状態表示部を消灯状態に切り替える。即ち、両者が消灯状態となったことで、電池残量が殆ど無い状態となったことを報知することができる。また、両者を消灯状態とすることで、電力消費を抑制することができる。このとき、警報器に設けた操作手段を操作することで、状態表示部を点滅させて電池残量が僅かであることを報知することができる。
【００２１】
さらに電源電圧が低下して第三電圧閾値以下となった場合に、電源表示部および状態表示部の消灯状態を維持し、操作手段を操作しても、状態表示部を点滅させないように制御すれば、電池切れであることを報知することができる。
【００２２】
従って、本構成では、電源電圧の閾値を三段階に設定し、さらに操作手段の操作を組み合わせて、電源表示部および状態表示部を、点灯、点滅および消灯状態の何れかに切り替えることで、電池残量の状態を残量レベルに応じて視覚的に認識し易くすることができる。また、電池電圧の低下と共に電力消費を抑制する態様としつつ、必要に応じて操作手段を操作して状態表示を行うようにすることで、長期間に亘って使用者などに対して状態を報知することができる。
【００２３】
本発明に係る警報器の第六特徴構成は、電源電圧が所定範囲のときに、操作によって前記状態表示部を点滅させる操作手段を備え、前記制御部は、電源電圧が第一電圧閾値以下の場合に、前記状態表示部を点灯または点滅させ、前記第一電圧閾値より低い第二電圧閾値以下の場合に、前記状態表示部を消灯し、さらに前記操作手段の操作によって前記状態表示部を点滅させ、前記第二電圧閾値より低い第三電圧閾値以下の場合に、前記電源表示部を消灯し、さらに前記操作手段の操作によって前記状態表示部を点滅させ、前記第三電圧閾値より低い第四電圧閾値以下の場合に、前記電源表示部および前記状態表示部を消灯した状態を維持し、さらに操作手段の操作によっても前記状態表示部を点滅させないように制御する点にある。
【００２４】
本構成によれば、電源電圧が第一電圧閾値以下となった場合に、状態表示部を消灯状態から点灯状態または点滅状態に切り替えることで、電源電圧がある程度低下したことを報知することができる。
【００２５】
電源電圧が低下して第二電圧閾値以下となった場合に、状態表示部を消灯状態に切り替えることで、電池残量がより一層低下したことを報知することができる。このとき、警報器に設けた操作手段を操作することで、状態表示部を点滅させて電池残量の具体的なレベルを報知することができる。
【００２６】
さらに電源電圧が低下して第三電圧閾値以下となった場合に、電源表示部を消灯状態に切り替える。即ち、両者が消灯状態となったことで、電池残量が殆ど無い状態となったことを報知することができる。また、両者を消灯状態とすることで、電力消費を抑制することができる。このとき、操作手段を操作することで、状態表示部を点滅させて電池残量が僅かであることを報知することができる。
【００２７】
さらに電源電圧が低下して第四電圧閾値以下となった場合に、電源表示部および状態表示部の消灯状態を維持し、操作手段を操作しても、状態表示部を点滅させないように制御すれば、電池切れであることを報知することができる。
【００２８】
従って、本構成では、電源電圧の閾値を四段階に設定し、さらに操作手段の操作を組み合わせて、電源表示部および状態表示部を、点灯、点滅および消灯状態の何れかに切り替えることで、電池残量の状態を残量レベルに応じて視覚的に認識し易くすることができる。また、電池電圧の低下と共に電力消費を抑制する態様としつつ、必要に応じて操作手段を操作して状態表示を行うようにすることで、長期間に亘って使用者などに対して状態を報知することができる。
【００２９】
本発明に係る警報器の第七特徴構成は、前記制御部は、前記状態表示部が前記警報器の状態を報知する際に、前記電源表示部の報知態様を変更可能にした点にある。
【００３０】
本構成によれば、電源表示部の報知態様を点灯あるいは消灯だけでなく、点滅状態に変更することができる。これにより、電源表示部の報知態様を増やすことができることとなり、より多くのパターンを構築することができるため、より多くの異常のレベルに対応することができる。
【００３１】
本発明に係る警報器の第八特徴構成は、前記電源表示部は、通電された時点から報知態様が変更されないようにした点にある。
【００３２】
本構成によれば、一度通電された時点から、通電が継続して行われなくても、例えばランプの点灯表示状態が継続するように構成できるため、省電力化を図ることができる。
【図面の簡単な説明】
【００３３】
【図１】本発明の警報器の構成の概略を示すブロック図である。
【図２】警報器の上面視の概略図である。
【発明を実施するための形態】
【００３４】
以下、本発明の実施形態を図面に基づいて説明する。
本発明の警報器は、例えば、火災や被検知ガスの漏洩など、外部環境の変化を検知して使用者に報知するものである。本実施形態では、火災警報、ＣＯガス漏洩警報、ガス漏洩警報の機能を有する複合型の警報器について説明する。
【００３５】
図１，２に示したように、本発明の警報器Ｘは、外部環境の変化を検知する検知手段１０と、外部環境の変化を報知する報知手段２０と、を設ける。
また、警報器Ｘは、電源の入力を報知する電源表示部３０と、警報器Ｘの状態を報知する状態表示部４０と、電源表示部３０および状態表示部４０の報知態様を制御する制御部５０と、を備える。
【００３６】
（検知手段）
検知手段１０として、火災センサ、ＣＯセンサおよび都市ガスセンサを備える。火災センサは、温度の上昇を感知する温度センサや、煙感知機能を有する公知の散乱光式煙センサなどが使用できる。本実施形態では当該散乱光式煙センサを使用した場合について説明する。この場合、ケース１の前面中央部には、煙センサの外周側をパンチングメタルで被覆して構成された円筒状の煙検知部（図外）を突設し、当該煙検知部の前方を覆う前カバー部２を隆起形成するとよい（図２）。
【００３７】
ＣＯセンサは不完全燃焼で発生する一酸化炭素ガスを検出でき、都市ガスセンサは炭化水素ガス等の漏洩ガスを検出することができるものであれば、公知の半導体式センサ素子や接触燃焼式ガスセンサ素子などが使用できる。これらセンサは、ケース１の右側面上部に形成された複数のスリット３を通して警報器Ｘの内部に流入した一酸化炭素ガスおよび都市ガスを検知できるように配設する。
【００３８】
（報知手段）
報知手段２０は、例えば各センサが警報レベル以上の煙濃度、ＣＯ濃度および都市ガス濃度を継続して検知したことを後述の演算手段６０が判定した場合、当該演算手段６０から警報信号を受け取り、ランプの点滅や音声により警報を発する。本実施形態では、警報や報知を視覚的に報知する態様について説明する。
【００３９】
即ち、報知手段２０は、煙センサが煙を検知したことを表示する火災報知部４、一酸化炭素ガスセンサが一定濃度以上の一酸化炭素ガスを検知したことを表示する不完全燃焼報知部５、都市ガスセンサが一定濃度以上の都市ガスを検知したことを表示する都市ガス警報報知部６を、ケース１の前面下部に設けている。火災報知部４、不完全燃焼報知部５、および都市ガス警報報知部６の配設位置については、使用者が視認し易い位置であれば特に限定されるものではない。
【００４０】
火災報知部４の裏側には、煙センサが煙を検知したときに点灯（あるいは点滅）する火災警報部２０Ａが配設される。不完全燃焼報知部５の裏側には、一酸化炭素ガスセンサが一定濃度以上の一酸化炭素ガスを検知したときに点灯（あるいは点滅）する不完全燃焼警報部２０Ｂ、都市ガス警報報知部６の裏側には、都市ガスセンサが一定濃度以上の都市ガスを検知したときに点灯（あるいは点滅）する都市ガス警報部２０Ｃが配設される。
【００４１】
（電源表示部）
電源の入力を報知する電源表示部３０はケース１の前面下部に設けているが、電源表示部３０の配設位置については、使用者が視認し易い位置であれば特に限定されるものではない。
【００４２】
本実施形態では、電源表示部３０は、電源が未入力の場合は消灯状態であり、電源の入力をランプの点灯により視覚的に認識できる表示が行える場合について説明する。このような態様として、電源表示部３０の裏側には、警報器Ｘが通電された状態となったときに点灯する電源報知部３０Ａを配設するのがよい。
【００４３】
（状態表示部）
警報器Ｘの状態を報知する状態表示部４０はケース１の前面下部に設けているが、状態表示部４０の配設位置については、使用者が視認し易い位置であれば特に限定されるものではない。「警報器Ｘの状態を報知する」とは、例えば警報器Ｘが正常稼働していない異常な状態を報知することであり、電源電圧が低下した状態や、検知手段１０の異常が認められる状態（故障）等に陥った場合などに行われる報知が当てはまる。
【００４４】
本実施形態では、状態表示部４０は、例えば、通常は消灯状態であり、警報器Ｘの異常が検出されたとき等にランプの点灯により視覚的に認識できる表示が行える場合について説明する。このような態様として、状態表示部４０の裏側には、警報器Ｘの異常が検出されたとき等に点灯（あるいは点滅）する状態報知部４０Ａを配設するのがよい。状態報知部４０Ａを点滅させる場合、点滅周期は任意に設定することができる。電源報知部３０Ａおよび状態報知部４０Ａは、同じ色のランプを点灯（点滅）させてもよいが、異なる色のランプとした方が互いの識別は容易である。
【００４５】
（制御部）
制御部５０は、電源表示部３０および状態表示部４０の報知態様を制御する。即ち、制御部５０は、電源表示部３０（電源報知部３０Ａ）および状態表示部４０（状態報知部４０Ａ）について、それぞれが、点灯、点滅、消灯するタイミングや期間を制御するものであり、このような制御が行えるマイコンなどを使用するとよい。
【００４６】
制御部５０による電源表示部３０（電源報知部３０Ａ）の制御は、警報器Ｘが通電された状態となったとき、或いは、警報器Ｘの通電が解除された状態となったときに応じて行うとよい。また、制御部５０による状態表示部４０（状態報知部４０Ａ）の制御は、警報器Ｘの異常が検出されたとき、或いは、警報器Ｘの異常のレベルなどに応じて行うとよい。即ち、本構成のように電源表示部３０および状態表示部４０の報知態様を各別に制御することで、複数の報知パターンを構築することができるため、警報器の状態の程度（異常のレベルや複数の異常）に応じて視覚的に認識し易くすることができる。
【００４７】
尚、制御部５０が、電源表示部３０および状態表示部４０の報知態様を制御するのは、警報器Ｘの状態の変化を検出してから所定時間経過した後としてもよい。この場合、前記所定時間経過前は、状態表示部４０のみの報知とすることが可能である。
【００４８】
（演算手段）
演算手段６０は、上述した各センサが煙、一酸化炭素ガスおよび都市ガスをそれぞれ検知した各出力に基づき、煙濃度、ＣＯ濃度および都市ガス濃度をそれぞれ算出する濃度算出部を備える。当該濃度算出部は、各センサからの出力信号に基づいてそれぞれの濃度を算出できるマイコンなどを使用するとよい。
さらに演算手段６０は、各センサが警報レベル以上の煙濃度、ＣＯ濃度および都市ガス濃度を継続して検知した場合、警報信号を報知手段２０に送って当該報知手段２０（火災警報部２０Ａ、不完全燃焼警報部２０Ｂ、都市ガス警報部２０Ｃ）により警報を発するように制御する。
【００４９】
当該警報は、例えば家庭用ガス警報器で必要とする合成音信号（例えば「ガスが漏れていませんか」などの合成音声）や、業務用ガス警報器で必要とする電子音信号（例えば「ピッ、ピッ、ピッ、ピッ、」などの電子音）等の警報音信号を音声として出力するようにすればよい。これら警報音信号は、このような信号を記憶できるメモリやストレージ等の記憶手段（図外）に記憶するとよい。
警報を音声で報知する警報スピーカ部７は、ケース１の前面上部に設ける。警報音を停止する際には、ケース１の前面下端部に設けた警報音停止スイッチ８を操作すればよい。
【００５０】
警報器Ｘは、電源として、電池駆動方式や外部電源方式とすることができるが、本実施形態では電池駆動方式とした場合について説明する。以下に、電池駆動方式の警報器Ｘにおいて、警報器Ｘの状態として電池の電源電圧を監視する場合、即ち、電池の電圧低下が生じた場合にこれを警報器Ｘの異常として報知する場合について説明する。
【００５１】
この場合、制御部５０は、電源電圧が第一電圧閾値以下の場合に、状態表示部４０を点灯または点滅させ、第一電圧閾値より低い第二電圧閾値以下の場合に、電源表示部３０および状態表示部４０を消灯するように制御することができる。
【００５２】
本構成では、電源電圧が第一電圧閾値以下となった場合に、状態表示部４０を消灯状態から点灯状態または点滅状態に切り替える。このとき、電源表示部３０は点灯状態を維持している。このように状態表示部４０のみを点灯または点滅させることで、電源電圧がある程度低下（残量７５〜２５％程度等）したことを報知することができる。
さらに、電源電圧が第一電圧閾値より低い第二電圧閾値以下となった場合に、電源表示部３０および状態表示部４０を消灯状態に切り替える。このように両者が消灯状態となったことで、電池残量が殆ど無い（或いは電池切れ）状態となったことを報知することができる。また、両者を消灯状態とすることで、電力消費を抑制することができる。
【００５３】
このように、電源電圧の閾値を二段階に設定して、電源表示部３０および状態表示部４０を、点灯、点滅および消灯状態の何れかに切り替えることで、電池残量の状態を残量レベルに応じて視覚的に認識し易くすることができる。
【００５４】
尚、本態様では、電源電圧が第一電圧閾値以下となった場合に、電源表示部３０は点灯状態を維持している状態としたが、電源表示部３０を消灯状態に切り替える制御をおこなってもよい。
また、制御部５０によって電源表示部３０および状態表示部４０の報知態様を制御しているときであっても、報知手段２０により警報を発するようにしてもよい。また、状態表示部４０において警報器Ｘの故障を表示しているときであっても、電池の電圧低下が生じた場合には、制御部５０によって電源表示部３０および状態表示部４０の報知態様を制御してもよい。
【００５５】
〔別実施の形態１〕
上述した実施形態に替えて、制御部５０は、電源電圧が第一電圧閾値以下の場合に、状態表示部４０を点灯させ、第一電圧閾値より低い第二電圧閾値以下の場合に、状態表示部４０を点滅させ、第二電圧閾値より低い第三電圧閾値以下の場合に、電源表示部３０および状態表示部４０を消灯するように制御することができる。
【００５６】
本構成では、電源電圧が第一電圧閾値以下となった場合に、状態表示部４０を消灯状態から点灯状態に切り替える。このとき、電源表示部３０は点灯状態を維持している。このように状態表示部４０のみを点灯させることで、電源電圧がある程度低下（残量７５〜５０％程度等）したことを報知することができる。
【００５７】
電源電圧が第一電圧閾値より低い第二電圧閾値以下となった場合に、状態表示部４０を点灯状態から点滅状態に切り替える。このとき、電源表示部３０は点灯状態を維持している。このように状態表示部４０のみを点滅させることで、電源電圧がより一層低下（残量２５％程度等）したことを報知することができる。
【００５８】
さらに電源電圧が第二電圧閾値より低い第三電圧閾値以下となった場合に、電源表示部３０および状態表示部４０を消灯状態に切り替える。このように両者が消灯状態となったことで、電池残量が殆ど無い（或いは電池切れ）状態となったことを報知することができる。
【００５９】
本態様では、電源電圧の閾値を三段階に設定して、電源表示部３０および状態表示部４０を、点灯、点滅および消灯状態の何れかに切り替えることで、電池残量の状態を残量レベルに応じて視覚的に認識し易くすることができる。
【００６０】
〔別実施の形態２〕
上述した実施形態に替えて、電源電圧が所定範囲のときに、操作によって状態表示部４０を点滅させる操作手段を備え、制御部５０は、電源電圧が第一電圧閾値以下の場合に、状態表示部４０を点灯または点滅させ、第一電圧閾値より低い第二電圧閾値以下の場合に、電源表示部３０および状態表示部４０を消灯し、さらに操作手段の操作によって状態表示部４０を点滅させるように制御することができる。
また、第二電圧閾値より低い第三電圧閾値以下の場合に、電源表示部３０および状態表示部４０を消灯した状態を維持し、さらに操作手段の操作によっても状態表示部４０を点滅させないように制御することができる。
尚、操作手段は、例えばスイッチ状の構造とすることができ、例えば警報音停止スイッチ８を操作手段と兼用してもよいし、警報音停止スイッチ８とは別のスイッチを設けて操作手段としてもよい。
【００６１】
本構成では、電源電圧が第一電圧閾値以下となった場合に、状態表示部４０を消灯状態から点灯状態または点滅状態に切り替える。このとき、電源表示部３０は点灯状態を維持している。このように状態表示部４０のみを点灯または点滅させることで、電源電圧がある程度低下（残量７５〜５０％程度等）したことを報知することができる。
【００６２】
電源電圧が第一電圧閾値より低い第二電圧閾値以下となった場合に、電源表示部３０および状態表示部４０を消灯状態に切り替える。このように両者が消灯状態となったことで、電池残量が殆ど無い状態となったことを報知することができる。このとき、例えば警報器Ｘに設けたスイッチ等の操作手段を操作することで、状態表示部４０を点滅させて電池残量が僅か（残量２５％程度等）であることを報知することができる。
【００６３】
さらに電源電圧が第二電圧閾値より低い第三電圧閾値以下となった場合に、電源表示部３０および状態表示部４０の消灯状態を維持し、操作手段を操作しても、状態表示部４０を点滅させないように制御すれば、電池切れであることを報知することができる。このように、本態様では操作手段は、電源電圧が第二電圧閾値以下であり第三電圧閾値より高い場合に操作によって状態表示部４０を点滅させることとなる。
【００６４】
本態様では、電源電圧の閾値を三段階に設定し、さらに操作手段の操作を組み合わせて、電源表示部３０および状態表示部４０を、点灯、点滅および消灯状態の何れかに切り替えることで、電池残量の状態を残量レベルに応じて視覚的に認識し易くすることができる。また、電池電圧の低下と共に電力消費を抑制する態様としつつ、必要に応じて操作手段を操作して状態表示を行うようにすることで、長期間に亘って使用者などに対して状態を報知することができる。
【００６５】
〔別実施の形態３〕
上述した実施形態に替えて、電源電圧が所定範囲のときに、操作によって状態表示部４０を点滅させる操作手段を備え、制御部５０は、電源電圧が第一電圧閾値以下の場合に、状態表示部４０を点灯または点滅させ、第一電圧閾値より低い第二電圧閾値以下の場合に、状態表示部４０を消灯し、さらに操作手段の操作によって状態表示部４０を点滅させるように制御することができる。
また、第二電圧閾値より低い第三電圧閾値以下の場合に、電源表示部３０を消灯し、さらに操作手段の操作によって状態表示部４０を点滅させ、第三電圧閾値より低い第四電圧閾値以下の場合に、電源表示部３０および状態表示部４０を消灯した状態を維持し、さらに操作手段の操作によっても状態表示部４０を点滅させないように制御することができる。
尚、操作手段は、上述した別実施の形態２に記載の操作手段と同様の構成とすればよい。
【００６６】
本構成では、電源電圧が第一電圧閾値以下となった場合に、状態表示部４０を消灯状態から点灯状態または点滅状態に切り替える。このとき、電源表示部３０は点灯状態を維持している。このように状態表示部４０のみを点灯または点滅させることで、電源電圧がある程度低下（残量７５％程度等）したことを報知することができる。
【００６７】
電源電圧が第一電圧閾値より低い第二電圧閾値以下となった場合に、状態表示部４０を消灯状態に切り替える。このように状態表示部４０が消灯状態となったことで、電池残量がより一層低下したことを報知することができる。このとき、例えば警報器Ｘに設けたスイッチ等の操作手段を操作することで、状態表示部４０を点滅させて電池残量の具体的なレベル（残量５０％程度等）を報知することができる。
【００６８】
電源電圧が第二電圧閾値より低い第三電圧閾値以下となった場合に、電源表示部３０を消灯状態に切り替える。このように両者が消灯状態となったことで、電池残量が殆ど無い状態となったことを報知することができる。このとき、前記操作手段を操作することで、状態表示部４０を点滅させて電池残量が僅か（残量２５％程度等）であることを報知することができる。
【００６９】
さらに電源電圧が第三電圧閾値より低い第四電圧閾値以下となった場合に、電源表示部３０および状態表示部４０の消灯状態を維持し、操作手段を操作しても、状態表示部４０を点滅させないように制御すれば、電池切れであることを報知することができる。このように、本態様では操作手段は、電源電圧が第二電圧閾値以下であり第四電圧閾値より高い場合に操作によって状態表示部４０を点滅させることとなる。
【００７０】
本態様では、電源電圧の閾値を四段階に設定し、さらに操作手段の操作を組み合わせて、電源表示部３０および状態表示部４０を、点灯、点滅および消灯状態の何れかに切り替えることで、電池残量の状態を残量レベルに応じて視覚的に認識し易くすることができる。また、電池電圧の低下と共に電力消費を抑制する態様としつつ、必要に応じて操作手段を操作して状態表示を行うようにすることで、長期間に亘って使用者などに対して状態を報知することができる。
【００７１】
〔別実施の形態４〕
制御部５０は、状態表示部４０が警報器Ｘの状態を報知する際に、電源表示部３０の報知態様を変更可能にしてもよい。即ち、上述した実施形態のように、電源表示部３０の報知態様を点灯あるいは消灯だけでなく、点滅状態に変更してもよい。
本構成により、電源表示部３０の報知態様を増やすことができることとなり、より多くのパターンを構築することができるため、より多くの異常のレベルに対応することができる。
【００７２】
〔別実施の形態５〕
電源表示部３０は、通電された時点から次に通電される時点まで報知態様が変更されず、通電がされていなくても同じ報知態様を継続して報知可能に構成してもよい。
電源表示部３０は、電源の入力をランプの点灯により視覚的に表示するものである。このとき、例えば公知の磁気反転素子を用いて、必要な時のみ磁気反転素子に電流を流すように構成すれば、一度通電された時点から、通電が継続して行われなくても、同じ報知態様を継続して報知することが可能となる。
【産業上の利用可能性】
【００７３】
本発明は、外部環境の変化を検知する検知手段と、前記外部環境の変化を報知する報知手段と、を備えた警報器に利用できる。
【符号の説明】
【００７４】
Ｘ          警報器
１０        検知手段
２０        報知手段
３０        電源表示部
４０        状態表示部
５０        制御部
【図１】
2015210705.tif 000003
【図２】
2015210705.tif 000004